(57)【要約】【課題】  ゲートウェイ装置によってプロトコルの異なる対向ノードに応じて、使用するＳＩＧＴＲＡＮ（シグトラン）プロトコルを使い分けるために、異なるプロトコル使用する対向ノード用に複数のＩＰアドレスを保持し区別して使用する必要があるという課題を解決する。【解決手段】  通信網上でプロトコルが異なるデータを相互に変換して通信を可能にするゲートウェイ装置であって、対向ノードを収容する信号リンクを、使用するプロトコル毎にグループ分けして信号リンクグループとし、信号リンクグループ毎に、通信に使用するプロトコルを使い分ける機能を含む。【選択図】  図２
2009159513.tif 000002
【特許請求の範囲】
【請求項１】
通信網上でプロトコルが異なるデータを相互に変換して通信を可能にするゲートウェイ装置において、
対向ノードを収容する信号リンクを、使用するプロトコル毎にグループ分けして信号リンクグループとし、前記信号リンクグループ毎に、通信に使用するプロトコルを使い分ける機能を有することを特徴とするゲートウェイ装置。
【請求項２】
前記信号リンクグループに対応する信号リンクとプロトコルに関する情報を取得してデータ転送要求を出力するルーティング機能部と、
異なる複数のプロトコル毎に備えられ、前記ルーティング機能部からのデータ転送要求に含まれる前記信号リンクに関する情報に基づいて取得した信号の送信元ＩＰアドレスと送信先ＩＰアドレスを各プロトコルのフォーマットに設定して信号転送の要求を行う複数のプロトコル部を備えることを特徴とする請求項１に記載のゲートウェイ装置。
【請求項３】
前記ルーティング機能部は、受信信号に含まれる送信先ポイントコードから前記信号リンクグループを取得し、
前記プロトコル部は、前記ルーティング機能部からのデータ転送要求に含まれる前記信号リンクに関する情報に基づいて、信号の送信元ＩＰアドレスと送信先ＩＰアドレス及び使用するポート番号の情報を取得することを特徴とする請求項２に記載のゲートウェイ装置。
【請求項４】
前記送信先ポイントコードと前記信号リンクグループとを対応付けた信号ルート情報と、前記信号リンクグループと使用するプロトコルを対応付けた信号リンクグループ情報と、前記信号リンクグループと前記信号リングに関する情報とを対応付けた信号リンク情報と、前記信号リンクと前記信号の送信元ＩＰアドレスと送信先ＩＰアドレス及び使用するポート番号を対応付けた信号リンクアドレス情報を格納し、
前記ルーティング機能部は、前記送信先ポイントコードをキーとして、前記信号ルート情報から前記信号リンクグループを取得し、取得した前記信号リンクグループをキーとして、前記信号リンクグループ情報からプロトコルに関する情報を、前記信号リンク情報から前記信号リンクに関する情報を取得し、
前記プロトコル部は、前記ルーティング機能部からの前記信号リンクに関する情報をキーとして、前記信号リンクアドレス情報から前記前記信号の送信元ＩＰアドレスと送信先ＩＰアドレス及び使用するポート番号を取得することを特徴とする請求項３に記載のゲートウェイ装置。
【請求項５】
前記プロトコルが、Ｍ３ＵＡプロトコル、Ｍ２ＰＡプロトコル、ＳＵＡプロトコル、Ｍ２ＵＡプロトコルを含むプロトコルのうち複数のプロトコルからなることを特徴とする請求項１から請求項４の何れかに記載のゲートウェイ装置。
【請求項６】
プロトコルが異なる対向ノード間のデータを相互に変換するゲートウェイ装置を備えるネットワークシステムにおいて、
前記ゲートウェイ装置が、対向ノードを収容する信号リンクを、使用するプロトコル毎にグループ分けして信号リンクグループとし、前記信号リンクグループ毎に、通信に使用するプロトコルを使い分ける機能を有することを特徴とするネットワークシステム。
【請求項７】
前記ゲートウェイ装置が、
前記信号リンクグループに対応する信号リンクとプロトコルに関する情報を取得してデータ転送要求を出力するルーティング機能部と、
異なる複数のプロトコル毎に備えられ、前記ルーティング機能部からのデータ転送要求に含まれる前記信号リンクに関する情報に基づいて取得した信号の送信元ＩＰアドレスと送信先ＩＰアドレスを各プロトコルのフォーマットに設定して信号転送の要求を行う複数のプロトコル部を備えることを特徴とする請求項６に記載のネットワークシステム。
【請求項８】
前記ゲートウェイ装置の前記ルーティング機能部は、受信信号に含まれる送信先ポイントコードから前記信号リンクグループを取得し、
前記ゲートウェイ装置の前記プロトコル部は、前記ルーティング機能部からのデータ転送要求に含まれる前記信号リンクに関する情報に基づいて、信号の送信元ＩＰアドレスと送信先ＩＰアドレス及び使用するポート番号の情報を取得することを特徴とする請求項７に記載のネットワークシステム。
【請求項９】
前記ゲートウェイ装置が、前記送信先ポイントコードと前記信号リンクグループとを対応付けた信号ルート情報と、前記信号リンクグループと使用するプロトコルを対応付けた信号リンクグループ情報と、前記信号リンクグループと前記信号リングに関する情報とを対応付けた信号リンク情報と、前記信号リンクと前記信号の送信元ＩＰアドレスと送信先ＩＰアドレス及び使用するポート番号を対応付けた信号リンクアドレス情報を格納し、
前記ルーティング機能部は、前記送信先ポイントコードをキーとして、前記信号ルート情報から前記信号リンクグループを取得し、取得した前記信号リンクグループをキーとして、前記信号リンクグループ情報からプロトコルに関する情報を、前記信号リンク情報から前記信号リンクに関する情報を取得し、
前記プロトコル部は、前記ルーティング機能部からの前記信号リンクに関する情報をキーとして、前記信号リンクアドレス情報から前記前記信号の送信元ＩＰアドレスと送信先ＩＰアドレス及び使用するポート番号を取得することを特徴とする請求項８に記載のネットワークシステム。
【請求項１０】
前記プロトコルが、Ｍ３ＵＡプロトコル、Ｍ２ＰＡプロトコル、ＳＵＡプロトコル、Ｍ２ＵＡプロトコルを含むプロトコルのうち複数のプロトコルからなることを特徴とする請求項６から請求項９の何れかに記載のネットワークシステム。
【請求項１１】
通信網上でプロトコルが異なるデータを相互に変換して通信を可能にするゲートウェイ装置のデータ通信方法であって、
対向ノードを収容する信号リンクを、使用するプロトコル毎にグループ分けして信号リンクグループとし、前記信号リンクグループ毎に、通信に使用するプロトコルを使い分けることを特徴とするデータ通信方法。
【請求項１２】
前記信号リンクグループに対応する信号リンクとプロトコルに関する情報を取得してデータ転送要求を出力するルーティング処理ステップと、
異なる複数のプロトコル毎に、前記データ転送要求に含まれる前記信号リンクに関する情報に基づいて取得した信号の送信元ＩＰアドレスと送信先ＩＰアドレスを各プロトコルのフォーマットに設定して信号転送の要求を行うプロトコル処理ステップを含むことを特徴とする請求項１１に記載のデータ通信方法。
【請求項１３】
前記ルーティング処理ステップで、受信信号に含まれる送信先ポイントコードから前記信号リンクグループを取得し、
前記プロトコル処理ステップで、前記ルーティング処理からのデータ転送要求に含まれる前記信号リンクに関する情報に基づいて、信号の送信元ＩＰアドレスと送信先ＩＰアドレス及び使用するポート番号の情報を取得することを特徴とする請求項１２に記載のデータ通信方法。
【請求項１４】
前記送信先ポイントコードと前記信号リンクグループとを対応付けた信号ルート情報と、前記信号リンクグループと使用するプロトコルを対応付けた信号リンクグループ情報と、前記信号リンクグループと前記信号リングに関する情報とを対応付けた信号リンク情報と、前記信号リンクと前記信号の送信元ＩＰアドレスと送信先ＩＰアドレス及び使用するポート番号を対応付けた信号リンクアドレス情報を有し、
前記ルーティング処理ステップで、前記送信先ポイントコードをキーとして、前記信号ルート情報から前記信号リンクグループを取得し、取得した前記信号リンクグループをキーとして、前記信号リンクグループ情報からプロトコルに関する情報を、前記信号リンク情報から前記信号リンクに関する情報を取得し、
前記プロトコル処理ステップで、前記ルーティング処理からの前記信号リンクに関する情報をキーとして、前記信号リンクアドレス情報から前記前記信号の送信元ＩＰアドレスと送信先ＩＰアドレス及び使用するポート番号を取得することを特徴とする請求項１３に記載のデータ通信方法。
【請求項１５】
前記プロトコルが、Ｍ３ＵＡプロトコル、Ｍ２ＰＡプロトコル、ＳＵＡプロトコル、Ｍ２ＵＡプロトコルを含むプロトコルのうち複数のプロトコルからなることを特徴とする請求項１１から請求項１４の何れかに記載のデータ通信方法。
【請求項１６】
通信網上でプロトコルが異なるデータを相互に変換して通信を可能にするゲートウェイ装置を構成するコンピュータ上で実行されるプログラムであって、
前記コンピュータに、
対向ノードを収容する信号リンクを、使用するプロトコル毎にグループ分けして信号リンクグループとし、前記信号リンクグループ毎に、通信に使用するプロトコルを使い分ける処理を実行させることを特徴とするプログラム。
【請求項１７】
前記コンピュータに、
前記信号リンクグループに対応する信号リンクとプロトコルに関する情報を取得してデータ転送要求を出力するルーティング処理と、
異なる複数のプロトコル毎に、前記データ転送要求に含まれる前記信号リンクに関する情報に基づいて取得した信号の送信元ＩＰアドレスと送信先ＩＰアドレスを各プロトコルのフォーマットに設定して信号転送の要求を行うプロトコル処理を実行させることを特徴とする請求項１６に記載のプログラム。
【請求項１８】
前記ルーティング処理が、受信信号に含まれる送信先ポイントコードから前記信号リンクグループを取得し、
前記プロトコル処理が、前記ルーティング処理からのデータ転送要求に含まれる前記信号リンクに関する情報に基づいて、信号の送信元ＩＰアドレスと送信先ＩＰアドレス及び使用するポート番号の情報を取得することを特徴とする請求項１７に記載のプログラム。
【請求項１９】
前記送信先ポイントコードと前記信号リンクグループとを対応付けた信号ルート情報と、前記信号リンクグループと使用するプロトコルを対応付けた信号リンクグループ情報と、前記信号リンクグループと前記信号リングに関する情報とを対応付けた信号リンク情報と、前記信号リンクと前記信号の送信元ＩＰアドレスと送信先ＩＰアドレス及び使用するポート番号を対応付けた信号リンクアドレス情報を有し、
前記ルーティング処理は、前記送信先ポイントコードをキーとして、前記信号ルート情報から前記信号リンクグループを取得し、取得した前記信号リンクグループをキーとして、前記信号リンクグループ情報からプロトコルに関する情報を、前記信号リンク情報から前記信号リンクに関する情報を取得し、
前記プロトコル処理は、前記ルーティング処理からの前記信号リンクに関する情報をキーとして、前記信号リンクアドレス情報から前記前記信号の送信元ＩＰアドレスと送信先ＩＰアドレス及び使用するポート番号を取得することを特徴とする請求項１８に記載のプログラム。
【請求項２０】
前記プロトコルが、Ｍ３ＵＡプロトコル、Ｍ２ＰＡプロトコル、ＳＵＡプロトコル、Ｍ２ＵＡプロトコルを含むプロトコルのうち複数のプロトコルからなることを特徴とする請求項１６から請求項１９の何れかに記載のプログラム。
【発明の詳細な説明】
【技術分野】
【０００１】
本発明は、通信網上でプロトコルが異なるデータを相互に変換して通信を可能にするゲートウェイ装置、ネットワークシステムに関する。
【背景技術】
【０００２】
３ＧＰＰ  ２９．８０１でＩＰ網上でのＳＴＰ−ＳＰノード間の接続にＭ３ＵＡプロトコルを使用し、ＳＴＰ−ＳＴＰノード間の接続にＭ２ＰＡプロトコルを使用するといった提案がなされている。
【０００３】
このような通信網（例えば、ＩＰ網）上の異なるプロトコルを使用する対向ノード間でデータを通信する場合、プロトコルの異なる対向ノードに応じて、ゲートウェイ装置が使用するＳＩＧＴＲＡＮ（シグトラン）プロトコルを使い分ける必要がある。
【０００４】
一般的なゲートウェイ装置でプロトコルの異なる対向ノードに応じて、使用するＳＩＧＴＲＡＮ（シグトラン）プロトコルを使い分ける場合、例えば、Ｍ３ＵＡプロトコルを使用する対向ノード接続用と、ＭＴＰ３／Ｍ２ＰＡプロトコルを使用する対向ノード接続用にそれぞれ異なる複数のＩＰアドレスを保持し、各ＩＰアドレスを区別して使用する必要があった。このようなゲートウェイ装置の例が、例えば、特許文献１に記載されている。
【０００５】
【特許文献１】特開２００２−２９０５５１号公報
【発明の開示】
【発明が解決しようとする課題】
【０００６】
上述したように、特許文献１等に記載される通常のゲートウェイ装置によってプロトコルの異なる対向ノードに応じて、使用するＳＩＧＴＲＡＮ（シグトラン）プロトコルを使い分けるには、異なるプロトコル使用する対向ノード用に複数のＩＰアドレスを保持し区別して使用する必要があるという問題があった。
また、複数のＩＰアドレスを保持することから保守者による管理も面倒になる問題もあった。
【０００７】
（発明の目的）
本発明の目的は、上述したゲートウェイ装置によってプロトコルの異なる対向ノードに応じて、使用するＳＩＧＴＲＡＮ（シグトラン）プロトコルを使い分けるために、異なるプロトコル使用する対向ノード用に複数のＩＰアドレスを保持し区別して使用する必要があるという課題を解決するゲートウェイ装置、ネットワークシステム、データ通信方法及びプログラムを提供することにある。
【課題を解決するための手段】
【０００８】
本発明の第１のゲートウェイ装置は、通信網上でプロトコルが異なるデータを相互に変換して通信を可能にするゲートウェイ装置において、対向ノードを収容する信号リンクを、使用するプロトコル毎にグループ分けして信号リンクグループとし、信号リンクグループ毎に、通信に使用するプロトコルを使い分ける機能を含む。
【０００９】
本発明の第２のネットワークシステムは、  プロトコルが異なる対向ノード間のデータを相互に変換するゲートウェイ装置を備えるネットワークシステムにおいて、ゲートウェイ装置が、対向ノードを収容する信号リンクを、使用するプロトコル毎にグループ分けして信号リンクグループとし、信号リンクグループ毎に、通信に使用するプロトコルを使い分ける機能を含む。
【００１０】
本発明の第３のデータ中継方法は、  通信網上でプロトコルが異なるデータを相互に変換して通信を可能にするゲートウェイ装置のデータ通信方法であって、対向ノードを収容する信号リンクを、使用するプロトコル毎にグループ分けして信号リンクグループとし、信号リンクグループ毎に、通信に使用するプロトコルを使い分ける。
【００１１】
本発明の第４のプログラムは、  通信網上でプロトコルが異なるデータを相互に変換して通信を可能にするゲートウェイ装置を構成するコンピュータ上で実行されるプログラムであって、コンピュータに、対向ノードを収容する信号リンクを、使用するプロトコル毎にグループ分けして信号リンクグループとし、信号リンクグループ毎に、通信に使用するプロトコルを使い分ける処理を実行させる。
【発明の効果】
【００１２】
本発明によれば、ゲートウェイ装置が異なるプロトコルに応じて複数のＩＰアドレスを使用することなく、収容する対向ノードのプロトコルごとに使用するＳＩＧＴＲＡＮプロトコルを使い分けることが可能となる。
【発明を実施するための最良の形態】
【００１３】
次に、本発明の実施の形態について図面を参照して詳細に説明する。
【００１４】
（第１の実施の形態）
図１は、本発明の第１の実施の形態によるゲートウェイ装置を用いたネットワークシステムの構成例を示す図である。
【００１５】
図１を参照すると、ゲートウェイ装置（ＳＧＷ）１０は、共通線信号網５００上に存在するＳＴＰノード（ＳＴＰ：共通線信号中継交換機）２０と、ＩＰ網６００上に存在するＩＰＳＥＰノード（ＳＥＰ：Signalling End Point、信号端局）３０、４０と接続し、ＡＴＭ（Asynchronous Transfer Mode）／ＳＴＭ（Synchronous Transfer Mode）上のＳＳ７信号をＳＩＧＴＲＡＮ変換し、ＩＰ網６００上に転送する信号変換装置として機能している。これにより、異なる通信プロトコルを使用するネットワーク間の通信を可能にする
【００１６】
ＩＰ網６００上には、通信プロトコルとしてＭＴＰ３／Ｍ２ＰＡを使用するＩＰＳＥＰノード３０と、通信プロトコルとしてＭ３ＵＡを使用するＩＰＳＥＰノード４０が同時に存在し、ゲートウェイ装置（ＳＧＷ）１０は、ＩＰＳＥＰノード３０、４０を収容する信号リンクグループごとに通信に使用するプロトコルを使い分ける。
【００１７】
次に、ゲートウェイ装置（ＳＧＷ）１０の構成について、図２を参照して説明する。
【００１８】
ゲートウェイ装置（ＳＧＷ）１０は、ルーティング機能部１０１と、Ｍ２ＰＡプロトコル部１０２と、Ｍ３ＵＡプロトコル部１０３と、ＳＣＴＰ（stream
control transmission protocol）プロトコル部１０４を含む構成である。
【００１９】
さらに、ゲートウェイ装置（ＳＧＷ）１０は、収容するＩＰＳＥＰノード３０、４０に関する情報である、信号ルート情報２００、信号リンクグループ情報２０１、信号リンク情報２０２、信号リンクアドレス情報２０３を、システムデータとして備えている。
【００２０】
ルーティング機能部１０１は、受信した信号のポイントコードから信号ルート情報２００を参照して当該信号が使用する信号リンクの信号リンクグループと使用プロトコルに関する情報を取得し、信号リンクグループ番号から信号リンク情報２０２を参照して、信号リンクグループを形成する信号リンクに関する情報を取得することにより、使用する信号プロトコルに従って、Ｍ３ＵＡプロトコル部１０３又はＭ２ＰＡプロトコル部１０２にデータ転送要求を出す機能を有する。
【００２１】
Ｍ２ＰＡプロトコル部１０２とＭ３ＵＡプロトコル部１０３は、転送するべき信号データをルーティング機能部１０１から受け取ると、信号リンクアドレス情報２０３から送信元のＩＰアドレスと送信先のＩＰアドレス及び使用するポート番号の情報を取得し、転送する信号データと送信元ＩＰアドレス、送信先ＩＰアドレス及びポート番号の情報をＭ２ＰＡ、Ｍ３ＵＡの各プロトコルフォーマットに設定し、ＳＣＴＰプロトコル部１０４に信号転送の要求を行う機能を有する。
【００２２】
ＳＣＴＰプロトコル部１０４は、Ｍ２ＰＡプロトコル部１０２又はＭ３ＵＡプロトコル部１０３からの信号転送要求に従い、信号データを対向ノードに送信する機能を有する。
【００２３】
以下に、図３から図６を参照して、ゲートウェイ装置１０に設定されている各種システムデータの構成例について説明する。
【００２４】
信号ルート情報２００の構成例を図３に示す。信号ルート情報２００は、対向ノード名称、当対向ノードのポイントコードとネットワークインディケータ（ＮＩ）、信号ルートが収容されている信号リンクグループ番号を含んでいる。
【００２５】
信号ルート情報２００において、必要なデータは、当対向ノードのポイントコードと信号リンクグループ番号であり、対向ノード名称については、保守者がメンテナンスしやすいように設定されている。
【００２６】
信号リンクグループ情報２０１の構成例を図４に示す。信号リンクグループ情報２０１は、信号リンクグループ番号と、その信号リンクグループが使用するプロトコル（ＡＴＭ／ＳＴＭ／Ｍ３ＵＡ／Ｍ２ＰＡ等）、回線帯域（１．５Ｍｂｐｓ／３８４ｋｂｐｓ等）を含んでいる。
【００２７】
信号リンク情報２０２の構成例を図５に示す。信号リンク情報２０２は、信号リンク番号と、その信号リンクが属する信号リンクグループ番号、信号リンクコードと、その信号リンクが実装されている実装装置、インタフェースに関する情報（ｃｐｉ(Virtual Channel Identifier)／ｖｃｉ(Virtual Path Identifier)）を含んでいる。
【００２８】
信号リンクアドレス情報２０３の構成例を図６に示す。信号リンクアドレス情報２０３は、信号リンク番号と、送信元ＩＰアドレス（プライマリ／セカンダリ）、送信先ＩＰアドレス（プライマリ／セカンダリ）、使用するポート番号を含んでいる。
【００２９】
ゲートウェイ装置（ＳＧＷ）１０におけるＭ２ＰＡ使用時とＭ３ＵＡ使用時のプロトコルスタックの例を図７に示す。
【００３０】
（第１の実施の形態の動作）
ゲートウェイ装置（ＳＧＷ）１０は、ＩＰＳＥＰノード３０、４０を収容する信号リンクグループごとに通信に使用するプロトコルを使い分ける。そのために、ゲートウェイ装置（ＳＧＷ）１０は、上記のように収容するＩＰＳＥＰノード３０、４０に関する情報である、信号ルート情報２００、信号リンクグループ情報２０１、信号リンク情報２０２、信号リンクアドレス情報２０３を、システムデータとして予め設定して格納している。
【００３１】
ここでは、ゲートウェイ装置（ＳＧＷ）１０が、上記の各システムデータを参照して、使用するＳＩＧＴＲＡＮプロトコルをどのように使い分けるかについて説明する。
【００３２】
以下、図８と図９を参照してゲートウェイ装置１０の動作について説明する。図８は、ゲートウェイ装置１０の動作手順を示す図、図９はフローチャートである。
【００３３】
ゲートウェイ装置（ＳＧＷ）１０は、ＳＳ７側から信号を受け取ると（ステップＳ３０１）、ルーティング機能部１０１で、受信した信号に含まれる送信先ポイントコードをキー情報として図３に示す信号ルート情報２００参照する。
【００３４】
そして、ルーティング機能部１０１は、信号ルート情報２００から送信先ポイントコードに対応する信号リンクグループ番号を取得する（ステップＳ３０２：図８の手順（１））。
【００３５】
その後、ルーティング機能部１０１は、取得した信号リンクグループ番号をキー情報とし、図４に示す信号リンクグループ情報２０１を参照する（ステップＳ３０３：図８の手順（２））。ここでは、信号リンクグループ情報２０１から信号リンクグループがＡＴＭ／ＳＴＭ／Ｍ３ＵＡ／Ｍ２ＰＡなどの、どのような信号プロトコルを使用するのかという情報を導くことが可能である。
【００３６】
また、ルーティング機能部１０１は、信号リンクグループ番号をキー情報として、図５に示す信号リンク情報２０２を参照することにより（ステップＳ３０４：図８の手順（３））、信号リンクグループを形成する信号リンクの番号と、当該信号リンクが実装されている装置やインタフェースの情報を取得する。
【００３７】
さらに、ルーティング機能部１０１は、信号リンクグループ情報２０１から取得した信号プロトコルがＭ３ＵＡである場合には、Ｍ３ＵＡプロトコル部１０３にデータ転送要求を出し（図８の手順（４−１））、信号リンクグループ情報２０２から取得した信号プロトコルがＭ２ＰＡである場合には、Ｍ２ＰＡプロトコル部１０２にデータ転送要求を出す（ステップＳ３０５：図８の手順（４））。
【００３８】
次いで、Ｍ２ＰＡプロトコル部１０２とＭ３ＵＡプロトコル部１０３は、転送するべき信号データをルーティング機能部１０１から受け取ると、図６に示す信号リンクアドレス情報２０３のシステムデータを参照する（ステップＳ３０６：図８の手順（５）、（５−１））。
【００３９】
Ｍ２ＰＡプロトコル部１０２とＭ３ＵＡプロトコル部１０３は、ルーティング機能部１０１からのデータ転送要求に含まれる信号リンク情報をキーとして、信号リンクアドレス情報２０３から、送信元のＩＰアドレスと送信先のＩＰアドレス及び使用するポート番号の情報を取得する。
【００４０】
信号リンクアドレス情報２０３の送信元ＩＰアドレスとしては、Ｍ３ＵＡプロトコルを使用する場合でも、Ｍ２ＰＡプロトコルを使用する場合でも同じ送信元ＩＰアドレスを設定することが可能である。
【００４１】
ただし、ポート番号については、Ｍ３ＵＡプロトコルで使用するポート番号と、Ｍ２ＰＡプロトコルで使用するポート番号を分ける必要があるが、信号リンクアドレス情報２０３のポート番号については以下のような方法で設定することが可能である。
【００４２】
第１の方法は、保守者がＩＰリンク情報２０３にプロトコル毎にポート番号を予め設定する方法である。
【００４３】
第２の方法は、保守者による設定を行わず、図４に示す信号リンクグループ情報２０１を参照して該当信号リンクが使用するプロトコルを導き、Ｍ３ＵＡプロトコルを使用する場合はＲＦＣ３３３２で規定されているデフォルトポート番号である「２９０５」を信号リンクアドレス情報２０３に設定し、Ｍ２ＰＡプロトコルを使用する場合はＲＦＣ４１６５で規定されているデフォルトポート番号である「３５６５」を信号リンクアドレス情報２０３に設定する方法である。
【００４４】
Ｍ２ＰＡプロトコル部１０２とＭ３ＵＡプロトコル部１０３は、信号リンクアドレス情報２０３から送信元ＩＰアドレスと送信先ＩＰアドレス及びポート番号を取得すると、転送する信号データと送信元ＩＰアドレス、送信先ＩＰアドレスの情報をＭ２ＰＡ、Ｍ３ＵＡの各プロトコルフォーマットに設定し（ステップＳ３０７）、ＳＣＴＰプロトコル部１０４に信号転送の要求を行う（ステップＳ３０８：図８の手順（６）、（６−１））。
【００４５】
ＳＣＴＰプロトコル部１０４は、Ｍ２ＰＡプロトコル部１０２、Ｍ３ＵＡプロトコル部１０３から受け取った信号転送要求に従い、信号データを対向ノードに送信する（ステップＳ３０９）。
【００４６】
（第１の実施の形態による効果）
第１の実施の形態によれば、１つのゲートウェイ装置１０で異なるＳＩＧＴＲＡＮプロトコルを使用する複数の対向ノード（例えば、Ｍ３ＵＡを使用する対向ノードとＭＴＰ３／Ｍ２ＰＡを使用する対向ノード）を収容することが可能となるだけではなく、Ｍ３ＵＡを使用する自局ＩＰアドレス、ＭＴＰ３／Ｍ２ＰＡを使用する自局ＩＰアドレスを区別して使用することなく、ゲートウェイ装置として１つのＩＰアドレスを保持するだけで、収容する信号リンクグループごとに使用するＳＩＧＴＲＡＮプロトコルを使い分けることが可能となる。
【００４７】
すなわち、本実施の形態によれば、ＳＩＧＴＲＡＮプロトコルにより使用するポート番号を可変にすることで、収容する信号リンクグループごとに使用するＳＩＧＴＲＡＮプロトコルを使い分けるシステムを実現することができる。
【００４８】
また、異なるプロトコルに応じて複数のＩＰアドレスを使い分ける必要がないため、保守者による管理も大幅に簡略化することができる。
【００４９】
次に、ゲートウェイ装置１０のハードウェア構成について図１０を参照して説明する。図１０は、ゲートウェイ装置１０のハードウェア構成を示すブロック図である。
【００５０】
図１０を参照すると、ゲートウェイ装置１０は、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）４０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部４０２、通信網を介してデータの送受信を行う通信制御部４０３、外部装置と接続してデータの送受信を行う入出力インタフェース部４０４、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部４０５、各構成要素を相互に接続するシステムバス４０６を備えている。
【００５１】
本実施の形態によるゲートウェイ装置１０は、上述した機能を実行するプログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、ルーティング機能部１０１、Ｍ２ＰＡプロトコル部１０２、Ｍ３ＵＡプロトコル部１０３、ＳＣＴＰプロトコル部１０４の各機能を提供するプログラムを、補助記憶部４０５に格納し、そのプログラムを主記憶部４０２にロードしてＣＰＵ４０１で実行することにより、ソフトウェア的に実現することも可能である。システムデータである、信号ルート情報２００、信号リンクグループ情報２０１、信号リンク情報２０２、信号リンクアドレス情報２０３については、補助記憶部４０５に格納される。
【００５２】
以上好ましい実施の形態と実施例をあげて本発明を説明したが、本発明は必ずしも、上記実施の形態及び実施例に限定されるものでなく、その技術的思想の範囲内において様々に変形して実施することができる。
【００５３】
上記の実施の形態においては、ＳＩＧＴＲＡＮ（シグトラン）プロトコルとして、Ｍ３ＵＡ、Ｍ２ＰＡを使用する場合を例にとって説明したが、使用するプロトコルについては、その他のＳＩＧＴＲＡＮ（シグトラン）プロトコルである、ＳＵＡ、Ｍ２ＵＡ等のプロトコルを使用することも可能である。
【図面の簡単な説明】
【００５４】
【図１】本発明の第１の実施の形態によるゲートウェイ装置を用いたネットワークシステムの構成例を示す図である。
【図２】本発明の第１の実施の形態によるゲートウェイ装置の構成を示すブロック図である。
【図３】本発明の第１の実施の形態によるゲートウェイ装置に設定する信号ルート情報の構成例を示す図である。
【図４】本発明の第１の実施の形態によるゲートウェイ装置に設定する信号リンクグループ情報の構成例を示す図である。
【図５】本発明の第１の実施の形態によるゲートウェイ装置に設定する信号リンク情報の構成例を示す図である。
【図６】本発明の第１の実施の形態によるゲートウェイ装置に設定するＩＰ信号リンク情報の構成例を示す図である。
【図７】本発明の第１の実施の形態によるゲートウェイ装置におけるＭ２ＰＡ使用時とＭ３ＵＡ使用時のプロトコルスタックの例を示す図である。
【図８】本発明の第１の実施の形態によるゲートウェイ装置による動作手順を示す図である。
【図９】本発明の第１の実施の形態によるゲートウェイ装置による動作を説明するフローチャートである。
【図１０】本発明の第１の実施の形態によるゲートウェイ装置のハードウェア構成を示すブロック図である。
【符号の説明】
【００５５】
１０：ゲートウェイ装置
２０：ＳＴＰノード
３０、４０：ＩＰＳＥＰノード
１０１：ルーティング機能部
１０２：Ｍ２ＰＡプロトコル部
１０３：Ｍ３ＵＡプロトコル部
１０４：ＳＣＴＰプロトコル部
２００：信号ルート情報
２０１：信号リンクグループ情報
２０２：信号リンク情報
２０３：信号リンクアドレス情報
４０１：ＣＰＵ
４０２：主記憶部
４０３：通信制御部
４０４：インタフェース部
４０５：補助記憶部
５００：共通線信号網
６００：ＩＰ網
【図１】
2009159513.tif 000003
【図２】
2009159513.tif 000004
【図３】
2009159513.tif 000005
【図４】
2009159513.tif 000006
【図５】
2009159513.tif 000007
【図６】
2009159513.tif 000008
【図７】
2009159513.tif 000009
【図８】
2009159513.tif 000010
【図９】
2009159513.tif 000011
【図１０】
2009159513.tif 000012